(57)【要約】【課題】デッキプレートの敷設作業を容易にすることができ、しかも、デッキプレートを薄肉化することも可能な床構造等を提供する。【解決手段】デッキプレート４に、該デッキプレート４の上面高さ位置よりも上方に突出してデッキプレート４の全周を囲むパネルフレーム５が一体的に取り付けられたデッキプレートパネル２を用い、該デッキプレートパネル２を現場に敷設し、該デッキプレートパネル２のパネルフレーム５で囲まれた内部にパネルフレーム５をコンクリート止めとしてコンクリート３を現場打ちで打ち込む。デッキプレートパネル２を敷設した後、作業用の仮設板８をデッキプレートパネル２のパネルフレーム５に支承させるようにして設置し、該仮設板８をコンクリートの打込み前に撤去するとよい。【選択図】      図１
2007040033.tif 000002
【特許請求の範囲】
【請求項１】
デッキプレートに、該デッキプレートの上面高さ位置よりも上方に突出してデッキプレートの全周を囲むパネルフレームを一体的に取り付けたデッキプレートパネルが敷設され、該デッキプレートパネルのパネルフレームで囲まれた内部にパネルフレームをコンクリート止めとしてコンクリートが現場打ちで打ち込まれていることを特徴とする床構造。
【請求項２】
デッキプレートに、該デッキプレートの上面高さ位置よりも上方に突出してデッキプレートの全周を囲むパネルフレームが一体的に取り付けられていることを特徴とするデッキプレートパネル。
【請求項３】
デッキプレートに、該デッキプレートの上面高さ位置よりも上方に突出してデッキプレートの全周を囲むパネルフレームが一体的に取り付けられたデッキプレートパネルを用い、該デッキプレートパネルを現場に敷設し、該デッキプレートパネルのパネルフレームで囲まれた内部にパネルフレームをコンクリート止めとしてコンクリートを現場打ちで打ち込むことを特徴とする床の施工方法。
【請求項４】
デッキプレートパネルを敷設した後、作業用の仮設板をデッキプレートパネルのパネルフレームに支承させるようにして設置し、該仮設板をコンクリートの打込み前に撤去する請求項３に記載の床の施工方法。
【発明の詳細な説明】
【技術分野】
【０００１】
本発明は、デッキプレートの上にコンクリートを現場打ちで打ち込むことによって形成される床構造、及び、デッキプレートパネルに関する。
【背景技術】
【０００２】
建物二階等の階上の床構造として、デッキプレートを敷き、その上にコンクリートを現場打ちで打ち込むことによって床を形成することは、各種建物において、古くから行われている。
【発明の開示】
【発明が解決しようとする課題】
【０００３】
しかしながら、現場でのデッキプレートの敷設作業は非常に厄介であるという問題がある。また、従来の床構造に用いられているデッキプレートの厚さ寸法は薄くても１．２ｍｍであり、そのため、デッキプレートに要するコスト、ひいては、床のコストが高くついてしまうという問題もある。
【０００４】
本発明は、上記のような問題点に鑑み、デッキプレートの敷設作業を容易にすることができ、しかも、デッキプレートを薄肉化することも可能な床構造等を提供することを課題とする。
【課題を解決するための手段】
【０００５】
上記の課題は、デッキプレートに、該デッキプレートの上面高さ位置よりも上方に突出してデッキプレートの全周を囲むパネルフレームを一体的に取り付けたデッキプレートパネルが敷設され、該デッキプレートパネルのパネルフレームで囲まれた内部にパネルフレームをコンクリート止めとしてコンクリートが現場打ちで打ち込まれていることを特徴とする床構造によって解決される。
【０００６】
また、デッキプレートに、該デッキプレートの上面高さ位置よりも上方に突出してデッキプレートの全周を囲むパネルフレームが一体的に取り付けられていることを特徴とするデッキプレートパネルによって解決される。
【０００７】
更に、デッキプレートに、該デッキプレートの上面高さ位置よりも上方に突出してデッキプレートの全周を囲むパネルフレームが一体的に取り付けられたデッキプレートパネルを用い、該デッキプレートパネルを現場に敷設し、該デッキプレートパネルのパネルフレームで囲まれた内部にパネルフレームをコンクリート止めとしてコンクリートを現場打ちで打ち込むことを特徴とする床の施工方法によって解決される。
【０００８】
これら床構造、デッキプレートパネル及び床の施工方法では、デッキプレートに予めパネルフレームが一体的に取り付けられているので、現場でのデッキプレートの敷設作業は、デッキプレートパネルのパネルフレームを建物の構造部分に取り付けていくことにより行っていくことができ、現場でのデッキプレートの敷設作業を施工容易に能率良く行っていくことができる。
【０００９】
しかも、パネルフレームはデッキプレートの上面高さ位置よりも上方に突出していてデッキプレートの全周を囲んでいるので、該パネルフレームをコンクリート止めとして使用することができ、現場でのコンクリート止めの施工を省略することができ、その面からも床の施工を容易にすることができる。
【００１０】
加えて、デッキプレートにパネルフレームが一体化されていることにより、デッキプレートにパネルフレームによる補強作用が及ぼされ、そのため、デッキプレートを薄肉化することも可能となる。
【００１１】
また、パネルフレームはデッキプレートの上面高さ位置よりも上方に突出しているので、デッキプレートパネルを敷設した後、作業用の仮設板をデッキプレートパネルのパネルフレームに支承させるようにして設置し、該仮設板をコンクリートの打込み前に撤去するようにすれば、作業に伴うデッキプレートへの力学的負担も小さく抑えることができて、デッキプレートの薄肉化をその面からも図っていくことができる。
【発明の効果】
【００１２】
本発明は、以上のとおりのものであるから、デッキプレートの敷設作業を容易にすることができ、しかも、デッキプレートを薄肉化して床のコストを低く抑えることも可能になる。
【発明を実施するための最良の形態】
【００１３】
次に、本発明の実施最良形態を図面に基づいて説明する。
【００１４】
図１（ロ）に示す実施形態の床構造において、１は梁、２はデッキプレートパネル、３は現場打ちコンクリートである。
【００１５】
デッキプレートパネル２は、工場製作品であり、図３及び図４に示すように、方形のデッキプレート４とパネルフレーム５とで構成されている。パネルフレーム５は、上下のフランジとウェブとを備えた鋼製の溝形材からなるフレーム材を組んで構成されたもので、デッキプレート４の周囲を全周にわたって囲む４本の外フレーム材５ａ…と、デッキプレート４の面内において山谷の延びる方向に向けられ、対向する外フレーム材同士をつなぐ２本の内フレーム材５ｂ，５ｂとからなっている。
【００１６】
外フレーム材５ａ…は、下フランジの上にデッキプレート４の縁部を載せてデッキプレート４の縁部と溶接などにより接合一体化されており、また、内フレーム材５ｂ，５ｂは、デッキプレート４の谷部の底面上に載せられてデッキプレート４に溶接などによって接合一体化されており、また、各フレーム材５ａ…，５ｂ，５ｂ同士も溶接などで接合されている。なお、一つのデッキプレートパネル２において、デッキプレート４は、１枚用いられていてもよいし、複数枚用いられていてもよい。
【００１７】
そして、このデッキプレートパネル２において、パネルフレーム５を構成する内外のフレーム材５ａ…，５ｂ，５ｂは、デッキプレート４の上面高さ位置、即ち、山部頂面高さ位置よりも上方に突出し、かつ、内外の各フレーム材５ａ…，５ｂ，５ｂは、その天面部の高さ位置が一致するようにつくられている。
【００１８】
因みに、デッキプレートパネル２の寸法は、例えば、短辺が約９００ｍｍ、長辺が約１８００ｍｍに設定され、パネルフレーム５を構成する内外のフレーム材５ａ…，５ｂ，５ｂは、断面寸法で、例えば、高さが約６０ｍｍ、幅が３０ｍｍ、肉厚寸法が約１ｍｍに設定され、デッキプレート４の肉厚寸法は、一般的なデッキプレートよりも肉薄の例えば１ｍｍのものなどが使用される。
【００１９】
床の施工は、上記のようにして工場で製作したデッキプレートパネル２を複数枚用い、該デッキプレートパネル２…を、現場で、図１（イ）及び図２（ロ）に示すように梁１にアングル材６を介して支承させ、該アングル材６等にデッキプレートパネル２のパネルフレーム５をボルト７で固定すると共に、隣り合うデッキプレートパネル２…同士も、隣接するパネルフレーム５，５同士をボルト７で接合するというようにして、デッキプレートパネル２…を敷設していく。
【００２０】
デッキプレート４に予めパネルフレーム５が一体的に取り付けられているデッキプレートパネル２を用いてデッキプレートの敷設作業を行うことにより、現場でのデッキプレートの敷設作業は、デッキプレートパネル２のパネルフレーム５を建物の構造部分に取り付けていき、隣り合うパネルフレーム５，５同士をつなぐことにより行っていくことができ、現場でのデッキプレートの敷設作業を施工容易に能率良く行っていくことができる。
【００２１】
こうして、デッキプレートパネル２…の敷設作業を終えた後、図５（イ）（ロ）に示すように、耐水合板などからなる作業用の仮設板８…をデッキプレートパネル２のパネルフレーム５に支承させるようにして設置してテープで止め付け、建方などの作業は仮設板８…の上にのって進めていく。パネルフレーム５はデッキプレート４の上面高さ位置よりも上方に突出しているので、仮設板８はパネルフレーム５によって支承され、デッキプレート４に荷重が直接かかることはなく、デッキプレート４として肉薄のものを使用することができる。なお、仮設板８は敷設前に予めデッキプレートパネル２に取り付けておくようにしてもよい。
【００２２】
そして、必要な作業を終えたら、図６（ハ）に示すように、仮設板を撤去してデッキプレートパネル２を上方に露出させた状態にし、その状態で、図６（ニ）に示すように、コンクリート３の打込みを行い、該コンクリート３を養生硬化させれば、図１（ロ）に示すような床が形成される。
【００２３】
パネルフレーム５はデッキプレート４の上面高さ位置よりも上方に突出していてデッキプレート４の全周を囲んでいるので、コンクリート３の打込みにおいて、パネルフレーム５をコンクリート止めとして機能させることができ、現場でのコンクリート止めの施工を省略することができて、その面からも床の施工を容易にすることができる。
【００２４】
そして、デッキプレート４にパネルフレーム５が一体化されていることにより、デッキプレート４にパネルフレーム５による補強作用が及ぼされ、上記のような肉薄のデッキプレート４を用いてもコンクリート３をしっかりと支えることができて、デッキプレート４の低コスト化、ひいては、床の低コスト化を実現することができる。
【００２５】
以上に、本発明の実施形態を示したが、本発明はこれに限られるものではなく、発明思想を逸脱しない範囲で各種の変更が可能である。例えば、上記の実施形態では、デッキプレート４として肉薄のものを用いた場合を示しているが、一般的な肉厚寸法のデッキプレートが用いられてもよいし、１ｍｍよりも薄いデッキプレートが用いられてもよい。また、パネルフレームにおいて外フレーム内に設けられる内フレームについてはその本数や向き等に制限はない。また、パネルフレームを構成するフレーム材は溝形材に限らず、方形管材、山形材など、各種形態のフレーム材が採用されてよい。また、上記の実施形態では、デッキプレートパネルを複数枚用いて床を形成した場合を示しているが、床面積が小さい場合には、デッキプレートパネルが１枚用いられた床に形成されてもよい。
【図面の簡単な説明】
【００２６】
【図１】実施形態を示すもので、図（イ）はデッキプレートパネルの敷設方法を示す断面正面図、図（ロ）は形成された床の断面正面図である。
【図２】デッキプレートパネルの敷設状態を示すもので、図（イ）は平面図、図（ロ）は図（イ）のＩ−Ｉ線断面図である。
【図３】デッキプレートパネルを示すもので、図（イ）は平面図、図（ロ）は図（イ）のＩＩ−ＩＩ線断面図である。
【図４】デッキプレートパネルの分解斜視図である。
【図５】図（イ）（ロ）は図６（ハ）（ニ）と共に床の施工方法を順次に示す断面正面図である。
【図６】図（ハ）（ニ）は図５（イ）（ロ）と共に床の施工方法を順次に示す断面正面図である。
【符号の説明】
【００２７】
１…梁
２…デッキプレートパネル
３…現場打ちコンクリート
４…デッキプレート
５…パネルフレーム
８…仮設板
【図１】
2007040033.tif 000003
【図２】
2007040033.tif 000004
【図３】
2007040033.tif 000005
【図４】
2007040033.tif 000006
【図５】
2007040033.tif 000007
【図６】
2007040033.tif 000008